【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
広帯域幅キャリア内での動作のために割り振られた狭帯域幅領域を識別することと、ここにおいて、前記広帯域幅キャリアが直流（ＤＣ）中心サブキャリアを有し、
前記狭帯域幅領域が前記広帯域幅キャリアの前記中心サブキャリアとは異なる周波数に中心があると、および前記狭帯域幅領域が前記中心サブキャリアを含むと、決定することと、
前記狭帯域幅領域のサブキャリア上でダウンリンク送信を受信することと、
前記広帯域幅キャリアの前記ＤＣ中心サブキャリアが、事実上前記狭帯域幅領域内の中心にあるように、前記狭帯域幅領域のキャリア周波数をダウンコンバートすること
を備える、方法。
【請求項２】
前記動作モードを選択することが、
予想される直流（ＤＣ）サブキャリアロケーションに対応するリソース要素（ＲＥ）のセットをパンクチャすること
を備える、請求項１に記載の方法。
【請求項３】
前記広帯域幅キャリアの前記中心サブキャリアのロケーションに少なくとも部分的に基づいて高速フーリエ変換（ＦＦＴ）演算を調整すること
をさらに備える、請求項１に記載の方法。
【請求項４】
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
請求項１に記載の方法。
【請求項５】
ユーザ機器（ＵＥ）におけるワイヤレス通信の方法であって、
広帯域幅キャリア内での動作のために割り振られた狭帯域幅領域を識別することと、ここにおいて、前記広帯域幅キャリアが直流（ＤＣ）中心サブキャリアを有し、
前記狭帯域幅領域が前記広帯域幅キャリアの前記中心サブキャリアとは異なる周波数に中心があると、および、前記狭帯域幅領域が前記広帯域幅キャリアの前記中心サブキャリアを除外すると、決定することと、
前記狭帯域幅領域のサブキャリア上でダウンリンク送信を受信することと、
前記広帯域幅キャリアの前記ＤＣ中心サブキャリアが前記狭帯域幅領域に隣接するように、前記狭帯域幅領域をダウンコンバートすることと、ここにおいて、前記ダウンコンバートすることが、前記広帯域幅キャリアの周波数と、前記狭帯域幅領域の帯域幅と、構成可能な値とに少なくとも部分的に基づく、
を備える、方法。
【請求項６】
前記広帯域幅キャリアの前記中心サブキャリアのロケーションに少なくとも部分的に基づいてＦＦＴ演算を調整すること
をさらに備える、請求項５に記載の方法。
【請求項７】
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
請求項５に記載の方法。
【請求項８】
基地局におけるワイヤレス通信の方法であって、
広帯域幅キャリア内での動作のために割り振られた狭帯域幅領域を識別することと、
前記狭帯域幅領域が前記広帯域幅キャリアの中心サブキャリアとは異なる周波数に中心があると決定することと、
前記狭帯域幅領域の中心周波数において空のサブキャリアを送信すること、および前記狭帯域幅領域の前記中心周波数のトーンの周りの前記狭帯域幅領域のサブキャリアをレートマッチングすることによって、前記狭帯域幅領域中でユーザ機器（ＵＥ）と通信することと
を備える、方法。
【請求項９】
前記ＵＥと通信することが、
前記狭帯域幅領域の前記中心周波数において空のサブキャリアを送信すること
を備える、請求項８に記載の方法。
【請求項１０】
前記広帯域幅キャリアの中心帯域幅領域上でシステム情報を送信すること
をさらに備える、請求項８に記載の方法。
【請求項１１】
前記ＵＥに前記狭帯域幅領域の指示を送信すること
をさらに備える、請求項８に記載の方法。
【請求項１２】
前記狭帯域幅領域中で前記ＵＥと通信することが、
前記狭帯域幅領域のサブキャリア上でダウンリンクデータを送信すること
を備える、請求項８に記載の方法。
【請求項１３】
ユーザ機器（ＵＥ）におけるワイヤレス通信のための装置であって、
広帯域幅キャリア内での動作のために割り振られた狭帯域幅領域を識別するための手段と、ここにおいて、前記広帯域幅キャリアが直流（ＤＣ）中心サブキャリアを有し、
前記狭帯域幅領域が前記広帯域幅キャリアの前記中心サブキャリアとは異なる周波数に中心があると、および前記狭帯域幅領域が前記中心サブキャリアを含むと、決定するための手段と、
前記狭帯域幅領域が前記広帯域幅キャリアの前記中心サブキャリアを備えると決定するための手段と、
前記狭帯域幅領域のサブキャリア上でダウンリンク送信を受信するための手段と、
前記広帯域幅キャリアの前記ＤＣ中心サブキャリアが、事実上前記狭帯域幅領域内の中心にあるように、前記狭帯域幅領域のキャリア周波数をダウンコンバートするための手段と、
を備える、装置。
【請求項１４】
ユーザ機器（ＵＥ）におけるワイヤレス通信のための装置であって、
広帯域幅キャリア内での動作のために割り振られた狭帯域幅領域を識別するための手段と、ここにおいて、前記広帯域幅キャリアが直流（ＤＣ）中心サブキャリアを有し、
前記狭帯域幅領域が前記広帯域幅キャリアの前記中心サブキャリアとは異なる周波数に中心があると、および、前記狭帯域幅領域が前記広帯域幅キャリアの前記中心サブキャリアを除外すると決定するための手段と、
前記狭帯域幅領域のサブキャリア上でダウンリンク送信を受信するための手段と、
前記広帯域幅キャリアの周波数と、前記狭帯域幅領域の帯域幅と、構成可能な値とに少なくとも部分的に基づいて、前記広帯域幅キャリアの前記ＤＣ中心サブキャリアが前記狭帯域幅領域に隣接するように、前記狭帯域幅領域をダウンコンバートするための手段
を備える、装置。
【請求項１５】
基地局におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記狭帯域幅領域の中心周波数において空のサブキャリアを送信すること、および前記狭帯域幅領域の中心周波数のトーンの周りの前記狭帯域幅領域のサブキャリアをレートマッチングすることによって、前記狭帯域幅領域中でユーザ機器（ＵＥ）と通信するための手段と
を備える、装置。
【手続補正２】
【補正対象書類名】明細書
【補正対象項目名】０１２６
【補正方法】変更
【補正の内容】
【０１２６】
[0142]  本明細書で説明した技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ユーザ機器（ＵＥ）におけるワイヤレス通信の方法であって、
広帯域幅キャリア内での動作のために割り振られた狭帯域幅領域を識別することと、  前記狭帯域幅領域が前記広帯域幅キャリアの中心サブキャリアとは異なる周波数に中心があると決定することと、
前記決定することに少なくとも部分的に基づいて、前記狭帯域幅領域の中心周波数に関連する動作モードを選択することと
を備える、方法。
[Ｃ２]  前記動作モードを選択することが、
予想される直流（ＤＣ）サブキャリアロケーションに対応するリソース要素（ＲＥ）のセットをパンクチャすること
を備える、Ｃ１に記載の方法。
[Ｃ３]  前記狭帯域幅領域が前記広帯域幅キャリアの前記中心サブキャリアを備えると決定することと、
前記狭帯域幅領域のサブキャリア上でダウンリンク送信を受信することと、
前記狭帯域幅領域が前記広帯域幅キャリアの前記中心サブキャリアを備えるという前記決定に少なくとも部分的に基づいて、前記ダウンリンク送信を分析することと
をさらに備える、Ｃ１に記載の方法。
[Ｃ４]  前記ダウンリンク送信を分析することは、
前記広帯域幅キャリアの前記中心サブキャリアが、事実上前記狭帯域幅領域内の中心にあるように、前記狭帯域幅領域のキャリア周波数をダウンコンバートすること
を備える、Ｃ３に記載の方法。
[Ｃ５]  前記広帯域幅キャリアの前記中心サブキャリアのロケーションに少なくとも部分的に基づいて高速フーリエ変換（ＦＦＴ）演算を調整すること
をさらに備える、Ｃ４に記載の方法。
[Ｃ６]  前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
Ｃ３に記載の方法。
[Ｃ７]  前記狭帯域幅領域が前記広帯域幅キャリアの前記中心サブキャリアを除外すると決定することと、
前記狭帯域幅領域のサブキャリア上でダウンリンク送信を受信することと、
前記狭帯域幅領域が前記広帯域幅キャリアの前記中心サブキャリアを除外するという前記決定に少なくとも部分的に基づいて、前記ダウンリンク送信を分析することと
をさらに備える、Ｃ１に記載の方法。
[Ｃ８]  前記ダウンリンク送信を分析することは、
前記広帯域幅キャリアの前記中心サブキャリアが前記狭帯域幅領域に隣接するように、前記狭帯域幅領域をダウンコンバートすることを備え、ここにおいて、前記ダウンコンバートすることが、前記広帯域幅キャリアの周波数と、前記狭帯域幅領域の帯域幅と、構成可能な値とに少なくとも部分的に基づく、
Ｃ７に記載の方法。
[Ｃ９]  前記広帯域幅キャリアの前記中心サブキャリアのロケーションに少なくとも部分的に基づいてＦＦＴ演算を調整すること
をさらに備える、Ｃ８に記載の方法。
[Ｃ１０]  前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
Ｃ７に記載の方法。
[Ｃ１１]  基地局におけるワイヤレス通信の方法であって、
広帯域幅キャリア内での動作のために割り振られた狭帯域幅領域を識別することと、  前記狭帯域幅領域が前記広帯域幅キャリアの中心サブキャリアとは異なる周波数に中心があると決定することと、
前記狭帯域幅領域の中心周波数のトーンの周りの前記狭帯域幅領域のサブキャリアをレートマッチングすることによって、前記狭帯域幅領域中でユーザ機器（ＵＥ）と通信することと
を備える、方法。
[Ｃ１２]  前記ＵＥと通信することが、
前記狭帯域幅領域の前記中心周波数において空のサブキャリアを送信すること
を備える、Ｃ１１に記載の方法。
[Ｃ１３]  前記広帯域幅キャリアの中心帯域幅領域上でシステム情報を送信すること
をさらに備える、Ｃ１１に記載の方法。
[Ｃ１４]  前記ＵＥに前記狭帯域幅領域の指示を送信すること
をさらに備える、Ｃ１１に記載の方法。
[Ｃ１５]  前記狭帯域幅領域中で前記ＵＥと通信することが、
前記狭帯域幅領域のサブキャリア上でダウンリンクデータを送信すること
を備える、Ｃ１１に記載の方法。
[Ｃ１６]  ユーザ機器（ＵＥ）におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記決定することに少なくとも部分的に基づいて、前記狭帯域幅領域の中心周波数に関連する動作モードを選択するための手段と
を備える、装置。
[Ｃ１７]  前記動作モードを選択するための前記手段が、
予想される直流（ＤＣ）サブキャリアロケーションに対応するリソース要素（ＲＥ）のセットをパンクチャするための手段
を備える、Ｃ１６に記載の装置。
[Ｃ１８]  前記狭帯域幅領域が前記広帯域幅キャリアの前記中心サブキャリアを備えると決定するための手段と、
前記狭帯域幅領域のサブキャリア上でダウンリンク送信を受信するための手段と、
前記狭帯域幅領域が前記広帯域幅キャリアの前記中心サブキャリアを備えるという決定に少なくとも部分的に基づいて、前記ダウンリンク送信を分析するための手段と
をさらに備える、Ｃ１６に記載の装置。
[Ｃ１９]  前記ダウンリンク送信を分析するための前記手段は、
前記広帯域幅キャリアの前記中心サブキャリアが、事実上前記狭帯域幅領域内の中心にあるように、前記狭帯域幅領域のキャリア周波数をダウンコンバートするための手段
を備える、Ｃ１８に記載の装置。
[Ｃ２０]  前記広帯域幅キャリアの前記中心サブキャリアのロケーションに少なくとも部分的に基づいて高速フーリエ変換（ＦＦＴ）演算を調整するための手段
をさらに備える、Ｃ１９に記載の装置。
[Ｃ２１]  前記広帯域幅キャリアの中心帯域幅領域上でシステム情報を受信するための手段と、  基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
Ｃ１８に記載の装置。
[Ｃ２２]  前記狭帯域幅領域が前記広帯域幅キャリアの前記中心サブキャリアを除外すると決定するための手段と、
前記狭帯域幅領域のサブキャリア上でダウンリンク送信を受信するための手段と、
前記狭帯域幅領域が前記広帯域幅キャリアの前記中心サブキャリアを除外するという決定に少なくとも部分的に基づいて、前記ダウンリンク送信を分析するための手段と
をさらに備える、Ｃ１６に記載の装置。
[Ｃ２３]  前記ダウンリンク送信を分析するための前記手段は、
前記広帯域幅キャリアの周波数と、前記狭帯域幅領域の帯域幅と、構成可能な値とに少なくとも部分的に基づいて、前記広帯域幅キャリアの前記中心サブキャリアが前記狭帯域幅領域に隣接するように、前記狭帯域幅領域をダウンコンバートするための手段
を備える、Ｃ２２に記載の装置。
[Ｃ２４]  前記広帯域幅キャリアの前記中心サブキャリアのロケーションに少なくとも部分的に基づいてＦＦＴ演算を調整するための手段
をさらに備える、Ｃ２３に記載の装置。
[Ｃ２５]  前記広帯域幅キャリアの中心帯域幅領域上でシステム情報を受信するための手段と、  基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
Ｃ２２に記載の装置。
[Ｃ２６]  基地局におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記狭帯域幅領域の中心周波数のトーンの周りの前記狭帯域幅領域のサブキャリアをレートマッチングすることによって、前記狭帯域幅領域中でユーザ機器（ＵＥ）と通信するための手段と
を備える、装置。
[Ｃ２７]  前記狭帯域幅領域の前記中心周波数において空のサブキャリアを送信するための手段をさらに備える、Ｃ２６に記載の装置。
[Ｃ２８]  前記広帯域幅キャリアの中心帯域幅領域上でシステム情報を送信するための手段
をさらに備える、Ｃ２６に記載の装置。
[Ｃ２９]  前記ＵＥに前記狭帯域幅領域の指示を送信するための手段
をさらに備える、Ｃ２６に記載の装置。
[Ｃ３０]  前記狭帯域幅領域中で前記ＵＥと通信するための前記手段が、
前記狭帯域幅領域のサブキャリア上でダウンリンクデータを送信すること
を備える、Ｃ２６に記載の装置。